(57)【要約】【課題】容易に運転パターンの変更ができ、且つ、悪戯等に対する防犯対策が施された制御ボックスを有する電気柵システムの提供を課題とする。【解決手段】前記制御回路８０を収容する制御ボックス２には、キースイッチ２６と、連続作動モードランプ（連続作動モード表示手段）１７と、昼作動モードランプ（昼作動モード表示手段）１８と、夜作動モードランプ（夜作動モード表示手段）１９と、を設けて、前記制御回路８０とそれぞれ接続され、前記キースイッチ２６には、「切」位置と、「入」位置と、「設定」位置と、を設け、前記キースイッチ２６を「設定」位置として、防護線６への印加モードを、連続作動モードと、昼作動モードと、夜作動モードの順に前記モードランプ（表示手段）１７・１８・１９で表示して、モード設定可能とする。【選択図】図２
2010119310.tif 000002
【特許請求の範囲】
【請求項１】
所定領域の周囲に張り巡らせた防護線と、
該防護線に電圧を印加する電源回路と、
該電源回路からの印加電圧を制御する制御回路と、
を備える電気柵システムであって、
前記制御回路を収容する制御ボックスには、キースイッチと、連続作動モード表示手段と、昼作動モード表示手段と、夜作動モード表示手段と、を設けて、前記制御回路とそれぞれ接続され、
前記キースイッチには、「切」位置と、「入」位置と、「設定」位置と、を設け、
前記キースイッチを「設定」位置として、防護線への印加モードを、連続作動モードと、昼作動モードと、夜作動モードの順に前記表示手段で表示して、印加モード設定可能とする
ことを特徴とする電気柵システム。
【請求項２】
前記キースイッチは「入」位置でキーの挿抜を可能に構成し、
該キーを「入」位置で抜いても印加モードを保持する構成とした
ことを特徴とする請求項１記載の電気柵システム。
【請求項３】
前記制御回路に遠隔操作手段の受信手段を接続し、
前記防護線への印加モードの設定を、遠隔操作手段により設定可能とする
ことを特徴とする請求項１記載の電気柵システム。
【発明の詳細な説明】
【技術分野】
【０００１】
本発明は、耕地や放牧場等による所定領域の周囲に張り巡らし、所定の電圧を印加し、獣類等の侵入を防止する電気柵システムの技術に関する。
【背景技術】
【０００２】
従来から、農地やレジャー施設等の所定領域への獣類の侵入や、牧場等で飼育される家畜類の逃走を防ぐ手段として、電気柵が知られている。電気柵は上述の農地やレジャー施設、牧場等の周囲に立設された複数のポールに、裸電線、或いは、導電性の金網等からなる防御線を張り渡して構成され、この防御線に電圧を印加することで、防御線に触れた獣類や家畜等を感電させて、農地等への侵入や、牧場からの逃走等を防ぐものである。
【０００３】
前記防御線の一端は制御ボックスと接続されており、該制御ボックスに収納した電源回路よって発生する電流が常時防御線に通電されることで、防御線には一定の電圧が印加される。
ここで、獣類においては、その習性から夜間に行動する夜行性動物や、昼間に活発に行動を起こすもの等、千差万別であり、侵入や逃走等を防止する対象を特に夜行性動物に定める場合には、前記制御ボックスの電気回路上に光電センサーを具備させて周囲の明るさを検知し、自動的に夜間に限って防御線に電圧を変化させる電気柵が知られている。
【０００４】
しかし、上述の光センサーを具備した制御ボックスでは、昼間に運転させることができないため、季節の変化や将来的な環境の変化等の影響から対象とする獣類の種別が変わり、電気柵の運転方式を変更する必要が生じても、既存の制御ボックスを用いることはできず、新たに別の制御ボックス、即ち、昼、夜問わず、常時運転可能な制御ボックスを設ける必要があり、経済的にも負担が大きかった。
そこでこのような改良点を網羅するべく、「特許文献１」に示す技術が公知となっている。
【特許文献１】特開２００６−２１７８２６号公報
【発明の開示】
【発明が解決しようとする課題】
【０００５】
前記「特許文献１」においては、電気柵に用いられる制御ボックスに関して、「連続作動」、「昼作動」、「夜作動」の３モードからなる運転パターンの選択機能を具備させる技術が公開されており、これによって、上述のように、季節や将来的な環境の変化等から対象とする獣類の種別が変化しても、直ちに電気柵の運転方式を変更することが可能であり、別途、運転方式の異なる制御ボックスを用意する必要も無く、経済的にも効果がある。
【０００６】
しかし、このような運転パターンの選択については、制御ボックスに設けられる複数のセレクトスイッチ等によって行うこととされており、利用者は容易に制御ボックスの運転パターンを変更することができる反面、第三者にとってみても容易に制御ボックスの運転パターンを変更することができ、悪戯等に対する防犯対策が十分ではなかった。
【０００７】
このような改良点を踏まえたうえで、本発明においては容易に運転パターンの変更ができ、且つ、悪戯等に対する防犯対策が施された制御ボックスを有する電気柵システムの提供を課題とする。
【課題を解決するための手段】
【０００８】
本発明の解決しようとする課題は以上の如くであり、次にこの課題を解決するための手段を説明する。
【０００９】
即ち、請求項１においては、所定領域の周囲に張り巡らせた防護線と、該防護線に電圧を印加する電源回路と、該電源回路からの印加電圧を制御する制御回路と、を備える電気柵システムであって、前記制御回路を収容する制御ボックスには、キースイッチと、連続作動モード表示手段と、昼作動モード表示手段と、夜作動モード表示手段と、を設けて、前記制御回路とそれぞれ接続され、前記キースイッチには、「切」位置と、「入」位置と、「設定」位置と、を設け、前記キースイッチを「設定」位置として、防護線への印加モードを、連続作動モードと、昼作動モードと、夜作動モードの順に前記表示手段で表示して、印加モード設定可能とするものである。
【００１０】
請求項２においては、前記キースイッチは「入」位置でキーの挿抜を可能に構成し、該キーを「入」位置で抜いても印加モードを保持する構成としたものである。
【００１１】
請求項３においては、前記制御回路に遠隔操作手段の受信手段を接続し、前記防護線への印加モードの設定を、遠隔操作手段により設定可能とするものである。
【発明の効果】
【００１２】
本発明の効果として、以下に示すような効果を奏する。
【００１３】
請求項１においては、キースイッチを用いて容易にモード設定が可能となる。そして、モード設定は表示手段で容易に設定するモードを確認することができる。また、キースイッチで設定できるため、設定用のスイッチ等の設定手段を別に設ける必要がなく、コスト低減化が図れ、操作パネルもシンプルに構成できる。
【００１４】
請求項２においては、モード設定の設定完了後には、キーを抜き取ることで、その後、設定を変更することができないので、防犯効果が高まる。
【００１５】
請求項３においては、制御ボックスに容易に手が届かない高所や簡単に近づけない場所や遠く離れた場所に設置した場合等にも、容易に設定操作が可能となり、電気柵システムの設置レイアウトの自由度が高まる。
【発明を実施するための最良の形態】
【００１６】
次に、発明の実施の形態を説明する。
図１は本発明の一実施例に係る電気柵システムの全体的な構成を示した模式図、図２は制御ボックスを示した正面図、図３は制御ボックスの電気回路を示したブロック図、図４はモード設定時における各ランプの点灯状態を示した制御ボックスの拡大正面図、図５は同じく制御ボックスの拡大正面図、図６は同じくキーを抜き取る状態を示した制御ボックスの拡大正面図、図７は制御ボックスの操作部の詳細を示した斜視図、図８は制御ボックスの遠隔操作手段を示した平面図である。
図９は本実施例における爆音機の全体を示した分解図、図１０は爆音機のコントロールボックスの全体を示した斜視図、図１１は爆音機の全体構成を示した正面図である。
【００１７】
［電気柵システム１の全体構成］
まず、本発明の一実施例に係る電気柵システム１の全体構成について、図１を用いて説明する。
電気柵システム１は、制御ボックス２や、絶縁支持体（ガイシ）３や、末端着脱具（ゲートグリップ）４や、ポール（支持柱）５や、防御線６等によって構成されており、主として猪や熊等、野生の獣類５１が耕地や放牧場等からなる所定領域内に侵入するのを防止し、農作物や家畜等の被害を防止するために設けられるものである。
【００１８】
具体的には、前記所定領域の周囲において、複数本のポール５・５・・・を一定間隔を空けて立設し、且つ、各々のポール５に装着される絶縁支持体３・３・・・を介して防御線６を張り巡らし、制御ボックス２によって防御線６に電圧を印加することで、電気柵システム１は構成されている。
【００１９】
防護線６への電圧の印加については、コード（引き出し線）８・８を介して行われる。
即ち、防護線６の近傍に配置される制御ボックス２の前面には、出力端子９と、アース端子１０と、が設けられており、前記コード８・８を介して、出力端子９は防護線６と、また、アース端子１０はアース棒１１と、各々結線される。これにより、制御ボックス２から供給される高圧のパルス電圧が防護線６に印加され、該防御線６に高電圧が印加されることとなる。
【００２０】
ここで、ポール５、及び、絶縁支持体３は絶縁機能を有する硬化性樹脂によって形成されており、制御ボックス２と防御線６を架設した通電範囲、及び、ポール５と絶縁支持体３等よりなる非通電範囲が完全な絶縁状態となる。
【００２１】
その結果、複数のポール５・５・・・によって区切られた所定領域の外側に防御線６を張り渡すことで、該所定領域の内側では直接防御線６に触れない限り感電等することもなく、安全に農作業等を行うことができるようになっている。
【００２２】
一方、防御線６によって囲まれる所定領域の一角には、出入口７が設けられており、この出入口７を利用して、所定領域内への人の出入りを可能にしている。
即ち、出入口７には防御線６の末端部と先端部が位置しており、該末端部（或いは、先端部）に取り付けられている末端着脱具４を介して、周囲に張り渡した防御線６の一部を取り外すことで、出入口７とすることを可能としている。また、末端着脱具４は例えば、先端部を円形状に緩やかに屈曲させてフック状に形成した針金によって構成する等、容易に取り外すことができるようにしている。
【００２３】
このような構成とすることで、防護線６に電圧が印加されている状態であっても、安全、且つ、容易に所定領域内へ人が出入りすることを可能にしている。
【００２４】
なお、電気柵システム１は高電圧が印加される防護線６によって構成されるばかりではなく、本実施例に示すように、同時に爆音機２１を伴う構成とすることも可能である。
この場合、後述の通り、間欠的に爆発音を発生させる爆音機２１本体に加え、指定領域内に侵入するものを常時監視する赤外線センサー２２や、鳥類の忌み嫌う音（地鳴き）を発生させる音響装置２３等を備えることで、防護線６では駆除の困難な有害鳥獣５２についても、効果的に所定領域内への侵入を防止することができるのである。
【００２５】
［制御ボックス２］
次に制御ボックス２について、図２、および、図３を用いて説明する。
制御ボックス２は略矩形状からなる筐体１２を有し、該筐体１２は上下方向中央部にて、上筐体部１２ａと、下筐体部１２ｂと、に分断され、各々、止め金具（ファスナー）等を介して着脱自在に組み付けられている。
【００２６】
前記上筐体部１２ａは下側に開口する箱形状に形成され、その前面は操作部１６として、後述するスイッチ類や、各種表示ランプ類が配置されるとともに、内部にはこれらスイッチ類や、各種表示ランプ類を制御する制御回路８０や、供給された電力を所定の電圧にまで昇圧する電源回路１００等が配設されている。
また、前記下筐体部１２ｂは上側に開口する箱形状に形成され、内部には電力を供給するための電池１４を収納する電池ケース１３が内装されている。
【００２７】
前記電池ケース１３は複数の電池群１４・１４・・・を収納するための箱状部材から形成されており、上面部にはプラス極とマイナス極からなる２本のリード線１５・１５が導かれ、筐体１２内部にて結線されている。また、前記リード線１５・１５の一方の端部は、前記制御回路部と結線されており、電池ケース１３の内部にて予め定められた配置により電池１４・１４・・・を装着することで、該電池群１４・１４・・・から、まとめて起電力を取り出し、制御回路部へ送電するようになっている。
但し、電池は乾電池に限定するもではなく、充電池等であってよく、また、電池ケース１３の代わりに変圧器と整流回路を配置する構成としてもよい。
【００２８】
上筐体部１２ａの前面には操作部１６が設けられ、制御ボックス２の操作におけるスイッチ類や各種表示ランプ類が、各々配設されている。
具体的には、操作部１６下部の左側に、出力端子９とアース端子１０とが横一列に配設されるとともに、前記操作部１６の下部中央にはキースイッチ２６が配設されている。前記キースイッチ２６の周囲には、印加モードの表示手段となる連続作動モードランプ１７・昼作動モードランプ１８・夜作動モードランプ１９・リモコンモードランプ２０と、遠隔操作手段の受信手段となるリモコンセンサー３９が配設されている。更に、電池残量警告ランプ３７がリモコンモードランプ２０の側部に配置されている。
【００２９】
前記電池残量警告ランプ３７は、たとえば電源とする電池の電圧不足を知らせるためのものであり、該電池の電圧が、予め定められた所定の電圧より低下すると、点灯するようになっている。これにより、利用者は電池の交換時期を容易に把握することができるため、不意の電池切れによって、電気柵システム１全体が停止してしまうこともない。
【００３０】
前記連続作動モードランプ１７・昼作動モードランプ１８・夜作動モードランプ１９・リモコンモードランプ２０は、後述するキー２９により「連続作動モード」、「昼作動モード」、「夜作動モード」、「リモコン設定モード」に印加モードを選択した場合や印加モード設定する時に点灯するものであり、利用者はこれらランプ１７・１８・・・２０の点灯状態を視認することで、現在の印加モードを容易に把握することができるようになっている。
【００３１】
ここで、本実施例における制御ボックス２の印加モードについて詳述すると、「連続作動モード」は、常時防護線６に電圧が印加される。また、「昼作動モード」は、昼間のみに防護線６に電圧が印加される。「夜作動モード」は、夜間のみに防護線６に電圧が印加される。
【００３２】
そして、防護線６に電圧を印加している状態では、出力ランプ３８が常に点滅するようになっており、利用者は前記出力ランプ３８の点滅状態を視認することで、容易に現在の制御ボックス２の出力状態を把握することができるようになっている。
【００３３】
なお、「リモコン設定モード」とは、リモコンセンサー３９を介して、後述する遠隔操作手段としてのリモコン２７により遠隔操作することで、これら三種類の印加モード、即ち、「連続作動モード」、「昼作動モード」、「夜作動モード」を設定可能な状態とするモードである。
【００３４】
出力端子９とアース端子１０とは、上筐体部１２ａの内部において、制御回路８０と各々結線されている。そして、出力端子９には防護線６の端部が、また、アース端子１０にはアース棒１１が、各々コード８・８（図１を参照）を介して接続される。これにより、電池ケース１３に収納される複数の電池１４・１４・・・の起電力はリード線１５等を介して制御回路部に送電され、交流に変換してトランス部によって所定の電圧（約一万ボルト）まで昇圧されて整流した後に防御線６に印加されることになる。
【００３５】
受光センサー２４は、例えばＣｄＳ等によって構成され明るさを検知し、制御回路８０と接続されている。該制御回路８０に入力される受光センサー２４からの信号により、周囲の明るさが、日没時の明るさよりも暗くなると、「昼作動モード」の場合は、防御線６への電圧の印加を停止し、「夜作動モード」の場合には、所定の電圧を印加する。また、夜明けのように所定の明るさ以上になると、「夜作動モード」の場合には、所定の電圧の印加を停止する。
【００３６】
こうして、防御線６によって侵入を防ぐ対象が夜行性の獣類である場合には、主に夜間に防御線６に通電させ、また、昼間に活動する獣類等も含めて侵入を防ぐ場合には、「連続作動モード」、或いは、「昼作動モード」を選択する。よって、無駄な電力消費を抑制することができるため経済的である。
【００３７】
キースイッチ２６は、電源のＯＮ／ＯＦＦと電圧印加のモードを切り換えるものであり、キー２９の差し込み部は防水キャップ３０により蓋をすることを可能としている。また、キー２９は「切」位置であっても、「入」位置であっても抜き差し（挿抜）可能に構成されている。
【００３８】
［キースイッチ２６による操作方法］
次に、キースイッチ２６によるモードを切り換える操作について、図４、乃至、図７を用いて説明する。
先ず、図４（ａ）に示すように、キー２９が「切」位置にある時に、キースイッチ２６に差し込んで「入」位置に回動すると、制御ボックス２の電源が「ＯＮ」になり、出力ランプ３８が点灯して、連続作動モードランプ１７・昼作動モードランプ１８・夜作動モードランプ１９・リモコンモードランプ２０のいずれか設定されたランプが点灯する。なお、図４（ｂ）に示すように、電池交換した場合等初期状態では、夜作動モードランプ１９が点灯する。
【００３９】
この状態から更にキー２９を回動して「設定」位置とすると、連続作動モード、昼作動モード、夜作動モード、リモコンモードの順に所定時間毎に点灯する。このいずれかが点灯している時に「入」位置に回動すると、その点灯している印加モードに設定することができる。
【００４０】
具体的には、図５に示すように、「連続作動モード」を示す連続作動モードランプ１７から点灯し始め（図５（ａ）に示す状態）、その後、「昼作動モード」を示す昼作動モードランプ１８（図５（ｂ）に示す状態）、「夜作動モード」を示すよる作動モードランプ１９（図５（ｃ）に示す状態）、「リモコン設定モード」を示すリモコンモードランプ２０（図５（ｄ）に示す状態）の順に、ある一定時間ずつ点灯していく。
【００４１】
ここで、例えば利用者が「連続作動モード」を選択し設定する場合には、連続作動モードランプ１７が点灯している際に（図５（ａ）に示す状態）、キー２９を「入」の位置にすることで、制御ボックス２の作動モードは「連続作動モード」に設定され、その後は表示ランプ１７が継続して点灯することとなる。
【００４２】
そして、図６に示すように、印加モードの設定が完了した後は、キー２９を抜き取ることで、キースイッチを回動することができないため、悪戯等によって作動モードの設定が変更されることを防止している。
【００４３】
なお、本実施例においては、図７（ａ）に示すように、制御ボックス２の作動モードの設定が完了した状態において、キー２９をキー溝２８ａから抜き取った後は、防水キャップ３０をキーシリンダ２８に装着することとしており、屋外に配設される制御ボックス２において、雨風や粉塵等からキーシリンダ２８を守り、制御ボックス２の故障の原因とならないような構成となっている。
【００４４】
［リモコン２７］
次にリモコン２７について、図８を用いて説明する。
本実施例では、防護線６への印加モードの設定手段として、キースイッチ２６の他に、遠隔操作手段であるリモコン２７で設定可能としている。本実施例では前記リモコン２７の本体部３１上に設けた押釦スイッチ３５により設定変更を可能としている。
【００４５】
具体的には、図５に示すように、先ず制御ボックス２のキー２９を「設定」の状態に回動し、前述のように「リモコン設定モード」に設定し、「入」位置とする。これにより、制御ボックス２のモード設定作業を、リモコン２７を用いて遠隔操作することが可能な状態となる。
なお、キー２９はキースイッチ２６に差し込んだままであっても抜き取っても、リモコン２７による遠隔操作ができる状態となっている。
【００４６】
次に、リモコン２７の押釦スイッチ３５を操作してモードを変更する場合、押釦スイッチ３５を予め定められた一定時間以上押し続けると、制御ボックス２の連続作動モードランプ１７・昼作動モードランプ１８・夜作動モードランプ１９の順に、ある一定時間ずつ点灯し、この点灯が繰り返される。
【００４７】
そして、例えば利用者が「昼作動モード」を選択する場合には、昼作動モードランプ１８が点灯している際に、押釦スイッチ３５の押圧をやめる（離す）と、昼作動モードランプ１８が継続して点灯し、「昼作動モード」に設定される。
【００４８】
以上のように、本発明では、所定領域の周囲に張り巡らせた防護線６と、該防護線６に電圧を印加する電源回路１００と、該電源回路１００からの印加電圧を制御する制御回路８０と、を備える電気柵システム１であって、前記制御回路８０を収容する制御ボックス２には、キースイッチ２６と、連続作動モードランプ（連続作動モード表示手段）１７と、昼作動モードランプ（昼作動モード表示手段）１８と、夜作動モードランプ（夜作動モード表示手段）１９と、を設けて、前記制御回路８０とそれぞれ接続され、前記キースイッチ２６には、「切」位置と、「入」位置と、「設定」位置と、を設け、前記キースイッチ２６を「設定」位置として、防護線６への印加モードを、連続作動モードと、昼作動モードと、夜作動モードの順に前記モードランプ（表示手段）１７・１８・１９で表示して、モード設定可能としている。
【００４９】
このような構成とすることで、利用者はキースイッチ２６を用いて、容易に防護線６への電圧の印加状態のモード設定を行うことが可能となる。そして、前記モード設定は連続作動モードランプ１７・昼作動モードランプ１８・夜作動モードランプ１９・リモコンモードランプ２０からなる作動モード表示手段で容易に確認することができる。また、キースイッチ２６でこれらモード設定を行うことができるため、設定用のスイッチ等の設定手段を別に設ける必要がなく、コスト低減化が図れ、操作パネルもシンプルに構成できる。
【００５０】
また、本発明では、前記キースイッチ２６は「入」位置でキー２９の挿抜を可能に構成し、該キー２９を「入」位置で抜いても印加モードを保持することとしている。
【００５１】
このような構成とすることで、制御ボックス２の設定完了後には、キースイッチ２６を抜き取ることで、その後、設定を変更することができないので、防犯効果が高まる。
【００５２】
また、本発明では、前記制御回路８０に遠隔操作手段のリモコンセンサー（受信手段）３９を接続し、前記防護線６への印加モードの設定を、リモコン（遠隔操作手段）２７により設定可能とすることとしている。
【００５３】
このような構成とすることにより、制御ボックス２に容易に手が届かない高所や簡単に近づけない場所や遠く離れた場所に設置した場合等にも、容易に設定操作が可能となり、電気柵システム１の設置レイアウトの自由度が高まる。
【００５４】
［爆音機２１の全体構成］
次に、本実施例における爆音機２１の全体構成について、図９、乃至、図１１について説明する。
爆音機２１はプロパンガス等の可燃ガスを爆発させ、その際に発する爆発音で有害鳥獣５２等を追い払うものである。このような爆音機２１は比較的小型に構成され設置が容易であること、また、家庭内で使用されるガスボンベ４２を利用し、運転が容易なことから、従来より広く利用されており、一定の「追い払い効果」を発揮している。
【００５５】
しかし、爆音機２１によって有害鳥獣５２等を追い払う場合、該爆音機２１の設置当初は突如の爆発音に有害鳥獣５２等も驚き、効果的に追い払うことができるものの、長期間使用し続けることで有害鳥獣５２等も次第に爆発音に慣れていき、「追い払い効果」が減少する傾向にある。
【００５６】
そこで、本実施例における爆音機２１では、爆発音の発生パターンを変更可能とするべく、単発、或いは、連発による爆発音の発生を、利用者が自由に選択することが可能な構成としている。
【００５７】
爆音機２１は、図９に示すように、正面視Ｔ状の爆音筒４１と、該爆音筒４１にガスを供給するガス供給部４０と、により構成される。
前記爆音筒４１は長手方向を上下方向とする矩形箱状の本体部４１ａと、該本体部４１ａの上端部において、左右両側に延設される筒状の放出部４１ｂと、により一体的に形成される。
【００５８】
本体部４１ａの内部には、２本の筒状部材４１ｄ・４１ｄが、上下方向に延出して各々並設されており、これら筒状部材４１ｄ・４１ｄは上端部において前記放出部４１ｂに挿嵌されている。
また、本体部４１ａの一側面の下部には、該本体部４１ａと前記筒状部材４１ｄ・４１ｄとを同時に貫通する挿入孔４１ｃ・４１ｃが設けられており、該挿入孔４１ｃ・４１ｃを介して、爆音筒４１内にガスが供給されるようになっている。
【００５９】
前記挿入孔４１ｃ・４１ｃの上部近傍には、側面視Ｌ状に形成された取付プレート５４・５４が固設されており、詳細は後述するが、該取付プレート５４・５４を介して、前記挿入孔４１ｃ・４１ｃに挿設された混合管４６・４６を固定保持できるようになっている。
【００６０】
そして、爆音筒４１の下端には、クランク状に屈曲した板部材からなる複数の脚柱６９・６９・６９が設けられ、該脚柱６９・６９・６９により爆音筒４１が地面上に設置できる構成となっている。
【００６１】
一方、ガス供給部４０はガスボンベ４２や、圧力調整器４３や、二組の混合管４６・４６等により構成されており、ガスボンベ４２の出口において、電磁弁４５を組み込んだ圧力調整器４３が接続され、電磁弁４５と混合管４６・４６とが途中、継手により二股に分岐させたゴムホース４７を介して接続され、混合管４６・４６の先端側が爆音筒４１の前記挿入孔４１ｃ・４１ｃに挿入されている。
【００６２】
なお、電磁弁４５は電源コード４５ａを介して、コントロールボックス４４内のコントローラ（図示せず）と接続されており、該コントローラによって電磁弁４５の動作が制御されるようになっている。
【００６３】
混合管４６・４６は筒状部材から形成され、その側面部中央には点火プラグ４８・４８が各々取り付けられている。また、混合管４６・４６の一端側は、爆音筒４１の挿入孔４１ｃ・４１ｃに挿入されるとともに、他端側の側面には複数の外気取り入れ用の長孔群４６ａ・４６ａ・・・が設けられ、該長孔群４６ａ・４６ａ・・・を覆うようにして、円筒状の風防４９・４９が設けられている。
【００６４】
このような構成とすることで、風の強い日であっても、前記長孔群４６ａ・４６ａ・・・を介して空気を取り入れることができ、点火プラグ４８・４８によってガスを爆発することができるのである。
【００６５】
点火プラグ４８・４８には高圧コード５０・５０の一端側が接続され、該高圧コード５０の他端側はコントロールボックス４４内のコントローラと接続されている。
なお、コントローラ側からは高圧コード５０・５０とともにアース５３・５３も配線され、該アース５３・５３の末端は、爆音筒４１の取付プレート５４・５４に接続されている。
【００６６】
そして、爆音筒４１の挿入孔４１ｃ・４１ｃに、混合管４６・４６の先端側を挿入すると共に、取付プレート５４・５４の挿入孔５４ａ・５４ａと混合管４６・４６の締結孔との位置を合わせ、両者に蝶ネジ６８・６８を挿入して、混合管４６・４６を爆音筒４１に各々接続することができるようにしている。
【００６７】
コントロールボックス４４はガスボンベ４２上に載置され、該コントロールボックス４４を樹脂等よりなる透明性の保護シールド５５によって覆い、該保護シールド５５に設けたフック５５ａ・５５ａをガスボンベ４２の把手４２ａに掛止することで、コントロールボックス４４をガスボンベ４２上に固定できるようにしている。
【００６８】
［コントロールボックス４４］
ここで、コントロールボックス４４の詳細について、図１０を用いて詳述する。なお、図１０に示す矢印Ａの方向を前方として、以下左右方向を規定する。
コントロールボックス４４は上述の通り、爆音機２１の電磁弁４５が接続される他、制御ボックス２や、赤外線センサー２２や、音響装置２３等（図１を参照）とも接続され、電気柵システム１全体としての運転状況を制御することができるようになっている。
【００６９】
コントロールボックス４４は矩形状の筐体からなり、その内部には電磁弁４５等を制御するコントローラ（図示せず）が内装されている。また、コントロールボックス４４の上面には電池ケース５７が配設され、該電池ケース５７に収納される複数の電池群６２・６２・・・より電力が取り出され、コントロールボックス４４に供給される。
【００７０】
コントロールボックス４４には複数のスイッチ類や表示機器等が設けられている。即ち、コントロールボックス４４の一方の側面には後述するキースイッチ５８や、前記複数の電池群６２・６２・・・の残量を表示するインジケータ５９等が配設され、前方の側面には受光センサー５６が配設されている。
また、コントロールボックス４４の上面において、前記電池ケース５７の後方には、爆発音量の大小を調節する爆発音量切換スイッチ６１や、後述する作動切換モードスイッチ６０等が設けられ、利用者はこれらスイッチ５８・６０・６１を操作することで、爆音機２１の運転状況を容易に変更することができるようになっている。
【００７１】
キースイッチ５８はコントロールボックス４４の電源スイッチとして用いられ、キー６４を回動することにより「切」「入」（ＯＮ／ＯＦＦ）を切り替えられる。そして、コントロールボックス４４の電源を入れた後、キー６４をキースイッチ５８より抜き取ることで、外部からコントロールボックス４４の電源操作を行うことができなくなり、防犯効果を高めることができる。
【００７２】
作動切換モードスイッチ６０は爆音機２１の運転パターンを選択し、設定するためのスイッチであり、例えば、表示部６５と、選択釦６６と、設定釦６７等により構成し、利用者が選択釦６６を押圧して、予めコントローラに記憶された複数の作動モードの番号を選択し、所望の番号が表示部６５に表示された時点で設定釦６７を押圧することで、爆音機２１の運転モードを自由に設定できるようになっている。
なお、作動切換モードスイッチ６０は本実施例に示すような構成に限定されるものではない。
【００７３】
ここで、前記複数の作動モードについて詳述すると、コントローラには爆音機２１の爆発音の発生パターンや、鳥類の忌み嫌う音（地鳴き）を発生させる音響装置２３の運転パターンや、制御ボックス２の運転パターン等の組合せからなる、複数の作動モードが予め記憶されており、これら作動モードには各々番号が割り当てられている。
【００７４】
具体的には、爆発音の発生パターンとしては単発、及び、連発に爆発音を発生させる二種類の作動方式を設け、これら作動方式における各々の爆音機２１の開始タイミングを、赤外線センサー２２によって獣類５１や有害鳥獣５２を検知した際にのみ爆音機２１を爆発させる場合や、予め定められた時間間隔（例えば、４分おきに爆音機２１を作動させる。）によって爆音機２１を爆発させる場合等によって区分けし、さらに、鳥類の忌み嫌う音（地鳴き）を発生させる音響装置２３や、上述の制御ボックス２等の作動状況を組み合せることで、複数の作動モードが構成され、これら各々の作動モードに番号が割り当てられているのである。
【００７５】
このような構成とすることで、爆音機２１には二系統のガスの供給経路を有することとなり、該供給経路を各々個別に操作することによって、単発、或いは、連発に爆発音を発生させることができるのである。
【００７６】
即ち、コントロールボックス４４内に内蔵したコントローラによって、電磁弁４５を所定間隔ごとに一定時間開閉し、一定量のガスを点火プラグ４８・４８で点火させて爆音筒４１内でガスを爆発させることから、爆音機２１は爆発音の発生パターンを変更可能とするべく、単発、或いは、連発による爆発音を発生させることが可能となり、獣類５１や有害鳥獣５２にとってみれば爆発音に慣れることもなく、「追い払い効果」が減少することもない。
【００７７】
このように、本実施例においては、所定時間間隔ごとに所定量のガスを、点火プラグ４８で爆発させて、爆発音を発生させる爆音機２１を具備することとしている。
【００７８】
このように、爆音機２１を設けることで、防護線６では駆除の困難な有害鳥獣５２等にも対応でき、所定領域への侵入防止効果を向上させることができる。
【００７９】
また、本実施例においては、前記爆音機２１は、爆音筒４１と、該爆音筒４１に設けられるガス供給部４０と、爆発音の発生を制御するコントローラを内蔵するコントロールボックス４４と、を具備し、前記ガス供給部４０には、点火プラグ４８と、ガスの流量を制御する電磁弁４５と、を設け、前記コントローラを内蔵するコントロールボックス４４に具備される赤外線センサー２２によって、獣類の侵入を検知し、その検知信号によって該電磁弁４５の開閉動作を制御することで、爆音の連発作動を行うこととしている。
【００８０】
このような構成とすることで、所定領域への獣類５１や有害鳥獣５２の侵入時にのみ爆音機２１を作動させることができるため、不用意に周辺に爆音を轟かせることもなく、環境を悪化させることもない。また、燃料となるガスの消費量も減り、経済的である。
【００８１】
また、本実施例においては、前記爆音機２１の爆音筒４１は、二組の混合管４６・４６を具備し、該混合管４６・４６に各々点火プラグ４８・４８を設け、一組のコントローラを内蔵するコントロールボックス４４によって、これら点火プラグ４８・４８の点火動作を各々制御することで、爆音の連発作動を行うこととしている。
【００８２】
このような構成とすることで、単純な構造により爆音機２１の連発作動を実現でき、経済的である。また、爆音機２１の連動作動を可能とすることで、あらゆる爆音パターンを実現できるため、獣類５１や有害鳥獣５２にとってみれば、学習することが困難であり、所定領域への侵入防止効果を向上させることができる。
【００８３】
［別実施例に係る爆音機２５］
次に別実施例に係る爆音機２５について、図１１を用いて説明する。
別実施例に係る爆音機２５は、上述の爆音機２１（図１１（ａ）を参照）と異なり、筒状部材をＹ状に形成してなる本体部７０ａを有する二基の爆音機本体７０・７０によって構成される。
【００８４】
即ち、爆音機本体７０・７０は各々直立して設けられる本体部７０ａ・７０ａと、該本体部７０ａ・７０ａの上端部において、左右上方に向かって延設される放出部７０ｂ・７０ｂと、によって形成されており、前記本体部７０ａ・７０ａの上下略中央部には各々挿入孔７０ｃ・７０ｃが設けられている。
そして、上述の爆音機２１と同様に、二組の混合管４６・４６の先端部が前記挿入孔７０ｃ・７０ｃに挿入されており、前記混合管４６・４６には各々点火プラグ４８・４８が設けられている。
【００８５】
このように、爆音機２５には二系統のガスの供給経路を有し、前記点火プラグ４８・４８の点火動作を各々個別に操作することによって、単発、或いは、連発に爆発音を発生させることができるようになっている。
【００８６】
即ち、コントロールボックス４４内に内蔵したコントローラによって、電磁弁４５を所定間隔ごとに一定時間開閉し、一定量のガスを点火プラグ４８・４８で点火させて爆音機本体７０・７０内でガスを爆発させることから、爆音機２５は爆発音の発生パターンを変更可能とするべく、単発、或いは、連発による爆発音を発生させることが可能となり、獣類５１や有害鳥獣５２にとってみれば爆発音に慣れることもなく、「追い払い効果」が減少することもないのである。
【００８７】
このように、別実施例においては、前記爆音機２５は、二基の爆音機本体７０・７０によって構成され、該爆音機本体７０・７０には点火プラグ４８・４８を有する混合管４６・４６が各々設けられ、一組のコントローラを内蔵するコントロールボックス４４によって、これら点火プラグ４８・４８の点火動作を各々制御することで、爆音の連発作動を行うこととしている。
【００８８】
このような構成とすることで、単純な構造により爆音機２５の連発作動を実現でき、経済的である。また、爆音機２５の連動作動を可能とすることで、あらゆる爆音パターンを実現できるため、獣類５１や有害鳥獣５２にとってみれば、学習することが困難であり、所定領域への侵入防止効果を向上させることができる。
【００８９】
更に言えば、二基の爆音機本体７０・７０によって爆音機２５を構成するため、互いに距離を設けて配置することができ、広範囲において爆発音を轟かせることができるのである。
【図面の簡単な説明】
【００９０】
【図１】本発明の一実施例に係る電気柵システムの全体的な構成を示した模式図。
【図２】制御ボックスを示した正面図。
【図３】制御ボックスの電気回路を示したブロック図。
【図４】モード設定時における各ランプの点灯状態を示した図であり、（ａ）は「切」位置に、（ｂ）は「入」位置にそれぞれキースイッチを操作した時の状態を示した制御ボックスの拡大正面図。
【図５】同じく、（ａ）乃至（ｄ）は「設定」位置にキースイッチを操作した時の状態を時系列に示した制御ボックスの拡大正面図。
【図６】同じく、キーを抜き取る状態を示した制御ボックスの拡大正面図。
【図７】制御ボックスの操作部の詳細を示した図であり、（ａ）はキースイッチを、（ｂ）は保護キャップを、各々キー挿入部に挿入した状態を示した斜視図。
【図８】制御ボックスの遠隔操作手段を示した平面図。
【図９】本実施例における爆音機の全体を示した分解図。
【図１０】爆音機のコントロールボックスの全体を示した斜視図。
【図１１】爆音機の全体構成を示した図であり、（ａ）は本実施例に係るもの、（ｂ）は別実施例に係るものを示した正面図。
【符号の説明】
【００９１】
１    電気柵システム
２    制御ボックス
６    防護線
１７    連続作動モードランプ（連続作動モード表示手段）
１８    昼作動モードランプ（昼作動モード表示手段）
１９    夜作動モードランプ（夜作動モード表示手段）
２６    キースイッチ
２７    リモコン（遠隔操作手段）
２９    キー
３９    リモコンセンサー（受信手段）
８０    制御回路
１００    電源回路
【図１】
2010119310.tif 000003
【図２】
2010119310.tif 000004
【図３】
2010119310.tif 000005
【図４】
2010119310.tif 000006
【図５】
2010119310.tif 000007
【図６】
2010119310.tif 000008
【図７】
2010119310.tif 000009
【図８】
2010119310.tif 000010
【図９】
2010119310.tif 000011
【図１０】
2010119310.tif 000012
【図１１】
2010119310.tif 000013